(57)【要約】【課題】縦軸に時間、横軸にチャンネルを表示する番組表において電子番組表全体のデザインは視聴している時間帯を実感することができない単一の画像表示である。【解決手段】画面全体を使う電子番組表で、番組内容とチャンネルと時間を表示する欄以外の部分を1画面または複数のビットマップをもとに構成する背景を有し、視聴している時間をもとに前記背景のデザインの違うビットマップデータ５を交換する。または視聴している時間の代わりに、視聴している時間の天気予報をもとにデザインの違うビットマップを交換する。【選択図】図２
2005051585.tif 000002
【特許請求の範囲】
【請求項１】
画面全体を使う電子番組表で、番組内容とチャンネルと時間を表示する欄を有し、その欄以外の部分を１画面または複数のビットマップをもとに構成する背景を有し、視聴している時間をもとに前記背景のデザインの違うビットマップデータを交換することを特徴とするデジタル放送受信装置。
【請求項２】
視聴している時間の代わりに、視聴している時間の天気予報をもとにデザインの違うビットマップを交換することを特徴とする請求項１記載のデジタル放送受信装置。
【発明の詳細な説明】
【技術分野】
【０００１】
本発明は、近年急速に増えているデジタル放送を受信するデジタル放送受信装置に関するものである。
【背景技術】
【０００２】
近年、デジタル放送が急速に増えてきており、地上波放送もデジタル化が始まる。デジタル放送受信機の機能は符号化された映像音声信号を、デジタルチューナで復調し、ＭＰＥＧ２復号処理を行い、映像信号・音声信号としてディスプレイに表示するものであるが、その他の機能としてデータ放送、電子番組表、ＪＰＥＧ表示などの機能がある。
【０００３】
その中で電子番組表は、構成として縦軸に時間、横軸に番組を表示するほか、さまざまな表示方法が実現されている。後ろの映像を透かして表示する方法もある（例えば、特許文献１参照）。
【０００４】
従来の技術を図面を用いて説明する。図４は従来のテレビジョン放送によって表示される電子番組表の一例である。１は番組のチャンネルとロゴである。２は時刻を表示している。３は番組タイトルである。４は背景であるビットマップデータである。６はコマーシャル（広告）データが表示される領域である。７は選局しているチャンネルの映像である。
【０００５】
リモコン（図示せず）で電子番組表のキーを押すと、配置位置データをもとに横軸となるチャンネルとロゴ１、時間２、番組タイトル３、背景のビットマップデータ４を表示する。電子番組表の背景は、全画面分のデータではほとんどが隠れるため格納するデータがもったいないので部分的に分割し表示する場合もある。
【０００６】
そのほか、電子番組表を送る事業者のコマーシャルデータ６が別途表示されることもある。また、選局しているチャンネルの映像７を表示する場合もある。このような電子番組表は、時間欄、チャンネル欄、番組内容の欄は、時刻とともに変化することがあるが、その他のデザインはいつも一定である。
【特許文献１】特開平１１−２３４５８５号公報
【発明の開示】
【発明が解決しようとする課題】
【０００７】
このように縦軸に時間、横軸にチャンネルを表示する電子番組表において、これが視聴している番組の映像との合成がない場合、例えば深夜にテレビを視聴する場合、電子番組表の中で、新聞のように時間の欄を色を変えることはあるが電子番組表全体のデザインは視聴している時間帯を実感することができず、単一の画像表示でしかなく、時間がたっても変化せず、視聴者には非常に単調な背景との印象を与えるものである。
【課題を解決するための手段】
【０００８】
以上の課題を解決するために本発明のデジタル放送受信装置は、電子番組表のなかで、番組内容とチャンネルと時間欄を有し、そのラテ欄以外の背景を構成する１画面または複数のビットマップを、放送から送られてくるＴＯＴ情報から時間情報を抜き出し、その時間をもとに電子番組表を描画する場合の背景のデザインを変更する。上記の構成により、視聴している時間、または受信した電子番組表の情報に合わせて、電子番組表の背景を変えることが可能である。
【発明の効果】
【０００９】
本発明により、視聴している時間や、または受信したデータ情報に応じて電子番組表の背景が変えることができ、視聴者の視聴している時間の雰囲気を出すことができるともに、番組の放送している時間帯がすぐわかり効果が大きい。
【００１０】
また、データ情報に関する表示を背景にすることで、視聴者は背景から、または背景の変化を視認することで、番組情報とともに他の情報をも入手することが可能となる。
【発明を実施するための最良の形態】
【００１１】
本発明は、電子番組表の背景を変化させるテレビジョン受信機などのデジタル放送受信装置に関する発明であり、その具体的な構成例を、以下に図面を用いて説明する。
【００１２】
（実施の形態１）
図１はデジタル放送を受信するテレビジョン受信機の受信ユニットの構成と信号の流れの一部を示した図である。８はセクションフィルタ部である。１０はＣＰＵである。１１はトランスポートデコード部である。１２はグラフィックス描画部である。１３は画像表示部である。１４はＭＰＥＧデコード部である。１５はワークメモリである。１６はフラッシュメモリである。１７  は受信ユニットである。
【００１３】
図２は本発明の電子番組表の表示例である。１は番組のチャンネルとロゴである。２は時間欄で、１時間ごとに欄が作成されている。３は番組タイトル欄であり、チャンネル欄と時間欄との交差位置に設けられている。５は電子番組表の背景であり、第２のビットマップデータである。６はコマーシャルデータが表示される領域であり、またはコマーシャルデータの選局しているチャンネルの映像が表示される領域である。
【００１４】
また、図３は本実施の形態のテレビジョン受信機の動作を説明するための図である。
【００１５】
次に、これらの図を用いて本実施の形態の具体的な動作の説明をする。フロントエンド部７と、セクションフィルタ部８を有するトランスポートデコード部１１と、ＣＰＵ１０と、ＭＰＥＧデコード部１４と、ワークメモリ１５と、フラッシュメモリ１６等を有する受信ユニット１７で、電源オン（ステップ１）後、ＢＳデジタル放送または地上デジタル放送で放送されている電波から、受信機のフロントエンド部７を通してトランスポートデコード部１１へトランスポートストリームを入力し（ステップ２）、セクションフィルタ部８にて映像・音声のデータと、その他のデータ放送などのＳＩ情報と分離、すなわちフィルタリングを行う（ステップ３）。
【００１６】
ＳＩ情報はワークメモリ１５に蓄えられ（ステップ４）、トランスポートデコード部１１およびソフトウエアを通して約５秒に１回程度送出されるタイムオフセットテーブル（Ｔｉｍｅ  ｏｆｆｓｅｔ  ｔａｂｌｅ、以下、ＴＯＴと記す）情報を、ワークメモリ１５に貯えられたＳＩ情報から取り出し、さらにＴＯＴ情報から時間情報を取りだす（ステップ６）。
【００１７】
ＴＯＴ情報はＪＳＴ時刻と日付を一定のデータ構造で、ＰＩＤ値０ｘ００１４のトランスポートストリームパケットで伝送されるものである。ビット数はＣＲＣ含めて１１２ビットで構成される。また放送形態によってはＪＳＴ時刻と日付情報のみのタイムアンドデータテーブル（Ｔｉｍｅ  ａｎｄ  ｄａｔｅ  ｔａｂｌｅ、６４ｂｉｔ、以下、ＴＤＴと記す）から時間情報を取り出しても良い。
【００１８】
一方、受信装置のリモコンの番組表キーなどが押されたとき（ステップ５）、ＣＰＵ１０がプログラムの配置位置データをもとに横軸となるチャンネルとロゴ１、時間２、番組タイトル３を表示する。さらにＳＩ情報から電子番組表に必要な番組内容、放送時間の情報のほか、前記ＴＯＴ情報の現在時間をもとにワークメモリ１５に転送済みのビットマップデータから、１８時から２０時と、朝４時から６時の間であれは、例えば薄明のデザインのビットマップデータ（ステップ８）、２０時から翌日の朝４時の間は、例えば夜のデザインの第２のビットマップデータをグラフィックス描画部し（ステップ９）、出力する。
【００１９】
以上の構成により視聴している時間に合わせて、電子番組表の背景が変えることができ、視聴者の視聴している時間の雰囲気を出すことができとともに、番組の放送している時間帯がすぐわかる。
【００２０】
（実施の形態２）
図３は、本発明の第２の実施の形態例におけるデジタル放送受信装置による画面の状態を示すものである。本実施の形態では、（実施の形態１）が時間情報をもとに、ビットマップデータを交換するものであったのに対し、データ放送の中の他の情報に基づいて、電子番組表の背景を変換するものである。
【００２１】
図１において、ＣＰＵ１０はワークメモリ１５に蓄えられたデータ情報であるＳＩ情報のうち、「天気予報」に関する情報を選択する。たとえば、視聴者の受信地域の翌日の天気予報が「くもり」であった場合、その情報に関連するビットマップデータ５をフラッシュメモリ１６から選択し、電子番組表の背景に表示する。このときには「くもり」、「晴れ」、「雨」などのデザインのビットマップデータのほかにも、文字情報をあわせて表示するものであってもよい。例えば、表示しているビットマップデータの予報の対象となる時刻、地域等を表示するものであってもよい。
【００２２】
さらには、データ情報に応じて、背景の画面とともに音声を出力することで、視聴者により情報を伝えやすくすることも可能である。また背景を複数に画面分割し、様々の情報に関するビットマップを表示するものであってもよく、また、ビットマップも時刻に応じて変化するものであっても良い。
【００２３】
以上の構成により、本実施の形態ではテレビジョン放送のうち、電子番組表に反映するようなデータ情報に基づいて、電子番組表の背景の画面を変化させることができるので、視聴者は電子番組表を見ながらその他の情報を視認でき、または音声で確認できるため、特に画面の切換をせずとも、複数の情報を、時刻の変化に合わせて視聴者は得ることができるものである。
【産業上の利用可能性】
【００２４】
本発明にかかるデジタル放送受信装置は、電子番組表の背景に、電子番組情報以外の情報を示唆する表示を行うことができるので、番組情報以外の情報を表示することができるものであり、車載用の表示装置や、移動端末の表示装置などのさまざまな表示装置に出力できる受信装置として有用である。
【図面の簡単な説明】
【００２５】
【図１】本発明のデジタル放送受信装置の構成を示した図
【図２】同デジタル放送受信装置による電子番組表を表示した状態を示す図
【図３】同デジタル放送受信装置の動作を示す図
【図４】同デジタル放送受信装置による電子番組表の他の状態を示す図
【符号の説明】
【００２６】
１    チャンネルとロゴデータを示す欄
２    時間を示す欄
３    番組タイトル
４    第１のビットマップデータ
５    第２のビットマップデータ
６    コマーシャルデータ
７    フロントエンド
８    セクションフィルタ部
１０    ＣＰＵ
１１    トランスポートデコード部
１３    表示装置
１５    ワークメモリ
１６    フラッシュメモリ
【図１】
2005051585.tif 000003
【図２】
2005051585.tif 000004
【図３】
2005051585.tif 000005
【図４】
2005051585.tif 000006